(57)【特許請求の範囲】
【請求項１】
集塵フィルタを収納する集塵室と、この集塵室に連通するとともに電動送風機を内蔵する電動送風機室と、前記電動送風機室と集塵室との間を仕切るとともに集塵室と電動送風機室とを連通する開口を形成した隔壁と、前記電動送風機のファンケースに取り付けられた緩衝部材とを備え、この緩衝部材は、前記ファンケースの外周面に嵌合した筒状の嵌合壁部と、この嵌合壁部の前端から内側に突出してファンケースの前面に当接したリング状のリング壁部とを有する電気掃除機であって、
前記リング壁部内に径方向に沿って複数の中空部を設け、
前記隔壁と電動送風機との間で且つ前記リング壁部の開口部を囲む位置に軸方向に延びた複数のリブを形成し、
この複数のリブの内少なくとも１つのリブを前記中空部と中空部との間の位置に対向してリング壁部の前面に当接させ、他の少なくとも１つのリブを中空部に対向してリング壁部の前面に当接させたことを特徴とする電気掃除機。
【請求項２】
前記複数の中空部の断面積を変えたことを特徴とする請求項１に記載の電気掃除機。
【発明の詳細な説明】
【０００１】
【発明の属する技術分野】
この発明は、電動送風機のファンケースにサポートゴムを取り付けた電気掃除機に関する。
【０００２】
【従来の技術】
従来から、図４に示す電気掃除が知られている（特開平４−１８９３２４号公報参照）。図４において、１は電気掃除機本体であり、この電気掃除機本体１は本体ケース２を備えている。この本体ケース２内には、集塵フィルタ(図示せず)を収納した集塵室３と電動送風機４を設けた電動送風機室５とが形成されている。集塵室３と電動送風機室５との間には集塵室３と電動送風機室５とを仕切る隔壁６が形成され、この隔壁６には集塵室３と電動送風機室５とを連通した開口(図示せず)が設けられている。この開口の周囲には後方に延びたリブ９が隔壁６に一体に形成されている。
【０００３】
電動送風機４は電動モータ(図示せず)を覆ったモータケース７と遠心ファン(図示せず)を覆ったファンケース８とを備えており、ファンケース８にはサポートゴム１０が装着されている。このサポートゴム１０は、集塵室３と電動送風機室５とを気密状態に区画するとともに電動送風機４の振動を吸収するようになっている。電動送風機室５は本体ケース２の後部に設けた排気口(図示せず)を介して外気と連通している。
【０００４】
サポートゴム１０は、ファンケース８の周面に嵌合された筒壁部１１と、この筒壁部１１の前端部から内側へ突出したリング壁部１２とを備えている。リング壁部１２内には柔軟性を持たせるために空間部１３が形成されている。リング壁部１２の前面には隔壁６のリブ９が当接している。
【０００５】
そして、電動送風機４が駆動されると、集塵室３内の空気が隔壁６の開口を介して電動送風機４によって吸気されていき、集塵室３は負圧となる。この負圧により、集塵室３に図示しないホースを介して連通した吸込口体(図示せず)から塵埃が吸引されていく。この吸込口体から吸引された塵埃はホースを介して集塵室３の集塵フィルタに集塵されていく。
【０００６】
【発明が解決しようとする課題】
ところで、このような電気掃除機にあっては、電動送風機４が駆動されると集塵室３が負圧になることにより、その始動時に電動送風機４が前方へ急速に移動される。この前方への急速移動による衝撃がサポートゴム１０のリング壁部１２によって吸収されることになるが、リング壁部１２内に空間部１３が形成されていることによりリング壁部１２が軟らか過ぎてしまう。このため、リング壁部１２が大きく潰れてしまい、電動送風機４が隔壁６のリブ９に直接衝突するような状態となり、衝撃音が発生するという問題があった。また、リング壁部１２が大きく潰れることによりその変形が大きく、このため、集塵室３と電動送風機室５との気密性が保てなくなる等の問題もあった。
【０００７】
この発明は、上記事情に鑑みてなされたもので、その目的は、電動送風機の始動時における衝撃音の発生を防止することができ、しかも、集塵室と電動送風機室との気密性が保てる電気掃除機を提供することにある。
【０００８】
【課題を解決するための手段】
上記目的を達成するため、請求項１の発明は、集塵フィルタを収納する集塵室と、この集塵室に連通するとともに電動送風機を内蔵する電動送風機室と、前記電動送風機室と集塵室との間を仕切るとともに集塵室と電動送風機室とを連通する開口を形成した隔壁と、前記電動送風機のファンケースに取り付けられた緩衝部材とを備え、この緩衝部材は、前記ファンケースの外周面に嵌合した筒状の嵌合壁部と、この嵌合壁部の前端から内側に突出してファンケースの前面に当接したリング状のリング壁部とを有する電気掃除機であって、
前記リング壁部内に径方向に沿って複数の中空部を設け、
前記隔壁と電動送風機との間で且つ前記リング壁部の開口部を囲む位置に軸方向に延びた複数のリブを形成し、
この複数のリブの内少なくとも１つのリブを前記中空部と中空部との間の位置に対向してリング壁部の前面に当接させ、他の少なくとも１つのリブを中空部に対向してリング壁部の前面に当接させたことを特徴とする。
【０００９】
請求項２の発明は、前記複数の中空部の断面積を変えたことを特徴とする。
【００１１】
【実施の形態】
以下、この発明に係わる電気掃除機の実施の形態を図面に基づいて説明する。
【００１２】
図１において、２０は電気掃除機本体２１の本体ケースであり、この本体ケース２０内には、集塵フィルタ(図示せず)を収納した集塵室２２と、この集塵室２２の後方に形成された風路２３と、この風路２３の後方に電動送風機２４を設けた電動送風機室２５とが形成されている。集塵室２２と風路２３との間には集塵室２２と風路２３とを仕切る隔壁２６が形成され、この隔壁２６には集塵室２２と風路２３とを連通した開口２７が設けられている。風路２３と電動送風機室２５とは電動送風機２４を介して連通している。
【００１３】
隔壁２６と電動送風機室２５との間にはインデューサ３０が配置されている。このインデューサ３０は空気を中央部に案内する擂り鉢状の案内壁３１を有しており、この案内壁３１の中央部には開口３２が形成され、案内壁３１の後面の周端側には後方（電動送風機２４の軸方向）に延びた３つの環状のリブ３３〜３５が形成されている。また、開口３２の周囲にも後方に延びた３つの環状のリブ３６〜３８が形成されている。
【００１４】
電動送風機２４は電動モータＭを覆ったモータケース２４Ｍと遠心ファン(図示せず)を覆ったファンケース２４Ｆとを備えており、ファンケース２４Ｆには緩衝部材であるサポートゴム４０が装着されている。このサポートゴム４０は、集塵室２２および風路２３と電動送風機室２５とを気密状態に区画するとともに電動送風機２４の振動を吸収するようになっている。電動送風機室２５は本体ケース２０の後部に設けた排気口２９を介して外気と連通している。
【００１５】
サポートゴム４０は、電動送風機２４のファンケース２４Ｆの周面に嵌合された筒状の筒壁部４１と、この筒壁部４１の前端部から内側へ突出するとともにファンケース２４Ｆの前面に当接したリング状のリング壁部４２とを備えている。４２ａはリング壁部４２の開口である。リング壁部４２内には２つの中空部４３,４４が環状に形成されている。そして、インデューサ３０のリブ３３が中空部４３に対向してリング壁部４２の前面４２Ａに当接し、リブ３４が中空部４３と中空部４４との間の仕切部４５に対向してリング壁部４２の前面４２Ａに当接し、リブ３５が中空部４４に対向してリング壁部４２の前面４２Ａに当接している。
【００１６】
次に、上記実施形態の電気掃除機の動作について説明する。
【００１７】
電動送風機２４の電動モータＭによって遠心ファンが回転されると、集塵室２２内の空気が隔壁２６の開口２７およびインデューサ３０の開口３２を介してファンケース２４Ｆへ吸気されていき、この吸気された空気が電動モータＭ内および電動送風機室２５を通って本体ケース２０の排気口２９から排気されていく。
【００１８】
集塵室２２および風路２３はサポートゴム４０により電動送風機室２５から気密状態に区画されているので、集塵室２２は遠心ファンによる吸気によって負圧となる。この負圧により、電動送風機２４は始動時に前方へ急速に移動する。
【００１９】
この電動送風機２４の急速移動により、サポートゴム４０のリング壁部４２が急激に押圧される。この押圧によって、インデューサ３０のリブ３３,３５が中空部４３,４４に対向してリング壁部４２の前面４２Ａに当接していることにより、その中空部４３,４４が潰れていくが、インデューサ３０のリブ３４が仕切部４５に対向してリング壁部４２の前面４２Ａに当接しているので、その中空部４３,４４が大きく潰れてしまうことが防止される。これは、中空部のない仕切部４５は所定の硬さを保っていることにより大きく変形することがなく、このため、中空部４３,４４が大きく潰れてしまうことが防止される。
【００２０】
すなわち、リング壁部４２は複数の中空部４３,４４を設けたことにより軟らかすぎてしまうことが防止される。つまり、複数の中空部４３,４４を設けたことにより必要な柔らかさと所定の硬さを得ることができることになる。
【００２１】
このため、電動送風機２４は始動時にインデューサ３０のリブ３３〜３５に直接衝突するような状態にならず、その始動時における衝撃音の発生が防止される。また、中空部４３,４４が大きく潰れてしまうことがないことによりリング壁部４２が大きく変形しない。このため、風路２３すなわち集塵室２３と電動送風機室２５との気密性が十分に保てることになる。
【００２２】
また、リング壁部４２は、複数の中空部４３,４４により必要な柔らかさを有しているので、駆動時の電動送風機２４の振動を十分に吸収することができる。
【００２３】
図２は第２実施形態を示したものである。この第２実施形態では、サポートゴム５０のリング壁部５２内に３つの環状の中空部５３〜５５を設け、各中空部５３〜５５の断面積Ｓ1〜Ｓ3を筒壁部５１の中央部に行くにしたがって小さくなるようにしたものである。すなわち、Ｓ1＜Ｓ2＜Ｓ3にしたものである。このようにすることにより、電動送風機２４の始動時におけるリング壁部５２の変形量を筒壁部５１の軸方向に対して均一にすることができ、集塵室２３と電動送風機室２５との気密性を確実に保つことができる。
【００２４】
なお、リブ３３〜３５との関係により、リング壁部５２の変形量が外側にいくほど大きくなる場合には、各中空部の断面積を外側に行くほど小さくなるように設定すればよい。
【００２５】
上記実施形態では、いずれもリング壁部４２,５２の中空部４３,４４,５３〜５５は環状に形成されていてそれぞれ独立した１つの環状中空部となっているが、図３に示すように、リング壁部６２に複数の中空部ｊを周方向に沿って配置することにより環状の中空部Ｋを形成してもよい。
【００２６】
【発明の効果】
以上説明したように、請求項１の発明によれば、隔壁と電動送風機との間で且つリング壁部の開口を囲む位置に軸方向に延びた複数のリブを形成し、この複数のリブの内少なくとの１つのリブを中空部と中空部との間の位置に対向してリング壁部の前面に当接させ、他の少なくとも１つのリブを中空部に対向してリング壁部の前面に当接させたものであるから、電動送風機の始動時にリブに対向した中空部が大きく潰れてしまうことが防止される。このため、電動送風機の始動時に電動送風機がリブに直接衝突する状態になることが防止され、この結果、その始動時における衝撃音の発生を防止することができる。しかも、中空部が大きく潰れてしまうことが防止されることにより、リング壁部が大きく変形してしまうことがなく、このため、集塵室と電動送風機室との気密性が保てる。しかも、複数の中空部を設けていることによりリング壁部は電動送風機の駆動時の振動を十分に吸収することもできる。
【００２８】
請求項２の発明によれば、複数の中空部の断面積を変えたものであるから、電動送風機の始動時におけるリング壁部の変形量を軸方向に対して均一にすることができ、集塵室と電動送風機室との気密性を確実に保つことができる。
【図面の簡単な説明】
【図１】この発明に係る電気掃除機本体を示した部分断面図である。
【図２】第２実施形態を示した説明図である。
【図３】中空部の他の例を示した説明図である。
【図４】従来の電気掃除機本体を示した説明図である。
【符号の説明】
２１          電気掃除機本体
２２          集塵室
２３          風路
２４          電動送風機
２５          電動送風機室
２６          隔壁
２７          開口
４０          サポートゴム
４１          嵌合壁部
４２          リング壁部
４３          中空部
４４          中空部
【図１】
0003819183.tif 000002
【図２】
0003819183.tif 000003
【図３】
0003819183.tif 000004
【図４】
0003819183.tif 000005